(57)【特許請求の範囲】
【請求項１】
製氷を行うため、冷却器を配設した製氷部と、該製氷部に製氷用水を供給する貯水タンクと、該貯水タンク内の水位を検知する水位検知装置とを備え、製氷を行う製氷工程及び氷を離脱させる離氷工程を繰り返し行う逆セル型製氷機において、
離氷工程中に、ギヤモータを逆転させ、ギヤモータタイマーをスタートさせた後に、該ギヤモータタイマーが所定時間を経過するまでの間に前記水位検知装置が満水を検知した場合、水位検知装置が不良であると判断することを特徴とする逆セル型製氷機。
【請求項２】
水位検知装置の不良を判断した場合、当該離氷工程終了後、運転を停止する保護装置を備えることを特徴とする請求項１記載の逆セル型製氷機。
【請求項３】
水位検知装置の不良と判断した場合、当該離氷工程に続く製氷工程は、予め設定した給水時間に基づいて貯水タンクに給水動作を行うことを特徴とする請求項１記載の逆セル型製氷機。
【請求項４】
水位検知装置が不良でない状態で、貯水タンクへの給水の時間を計測し、水位検知装置の不良を判断した場合、当該計測時間に基づいて貯水タンクへの給水動作を行うことを特徴とする請求項１記載の逆セル型製氷機。
【請求項５】
水位検知装置が正常に戻った場合、水位検知装置にて貯水タンクへの給水動作を行うことを特徴とする請求項３又は請求項４記載の逆セル型製氷機。
【請求項６】
水位検知装置を不良と判断した場合、警報を発することを特徴とする請求項１乃至請求項５記載の逆セル型製氷機。
【請求項７】
保護装置は、所定時間経過後、再度検査し、水位検知装置が正常に戻ったと判断した場合、保護装置を解除することを特徴とする請求項２記載の逆セル型製氷機。
【発明の詳細な説明】
【０００１】
【発明の属する技術分野】
本発明は、貯水タンク内の製氷用水を冷却器に循環して自動製氷を行う逆セル型製氷機に関する。
【０００２】
【従来の技術】
従来この種逆セル型製氷機は、例えば実公平４−５２６２１号公報（Ｆ２５Ｃ１／０４）には、冷凍系に接続する蒸発器を配設した製氷部と、この製氷部に製氷水を供給する製氷水供給系と、前記製氷部に生成された氷を離脱させる装置と、前記製氷水供給系における製氷水貯溜部の水位を検知する水位検知装置とを備える自動逆セル型製氷機において、製氷開始後の所定時間内に前記製氷水貯溜部内の水位が所定水位以下に低下しない場合に、その製氷動作を停止させる保護装置を設けたことを特徴とする自動製氷機が開示されている。
【０００３】
【発明が解決しようとする課題】
上述した従来の技術は、水位検知装置自体の不良、例えば断線、コネクタ外れが発生した場合、製氷水貯溜部内に製氷用水が所定水位まで貯溜していなくとも満水であると判断して製氷を開始する問題がある。
従って、製氷開始後所定時間を経過し、製氷水貯溜部内の水位が低下しても、水位検知装置が製氷水貯溜部内の水位低下を検知できないため、品質の悪い白濁氷、虫食い状態の氷を製氷するばかりでなく、無駄な運転を継続する問題がある。
【０００４】
本発明は上述した問題点に鑑みてなされたもので、品質の良好な氷を製氷すると共に、無駄な運転を極力防止することを目的とした逆セル型製氷機を提供する。
【０００５】
上述目的を達成するための手段として、請求項１の発明では、製氷を行うため、冷却器を配設した製氷部と、この製氷部に製氷用水を供給する貯水タンクと、この貯水タンク内の水位を検知する水位検知装置とを備え、製氷を行う製氷工程及び氷を離脱させる離氷工程を繰り返し行う逆セル型製氷機において、離氷工程中に、ギヤモータを逆転させ、ギヤモータタイマーをスタートさせた後に、該ギヤモータタイマーが所定時間を経過するまでの間に前記水位検知装置が満水を検知した場合、水位検知装置が不良であると判断する逆セル型製氷機を提供する。
【０００６】
この様に、満水であるはずのない場合に、満水を検知した時、水位検知装置を不良と判断することができる。
また、請求項２の発明では、水位検知装置の不良を判断した場合、当該離氷工程終了後、運転を停止する保護装置を備える請求項１記載の逆セル型製氷機を提供する。この様に、満水であるはずのない場合に、満水を検知した時、水位検知装置を不良と判断することができると共に、離氷工程終了後、機器の運転を停止するため、無駄な製氷工程を行わないものである。
【０００７】
また、請求項３の発明では、水位検知装置の不良と判断した場合、当該離氷工程に続く製氷工程は、予め設定した給水時間に基づいて貯水タンクに給水動作を行う請求項１記載の逆セル型製氷機を提供する。
この様に、満水であるはずのない場合に、満水を検知した時、水位検知装置を不良と判断することができると共に、不良と判断した場合には予め設定した時間にて給水制御を行い、製氷運転を継続できる。
【０００８】
また、請求項４の発明では、水位検知装置が不良でない状態で、貯水タンクへの給水の時間を計測し、水位検知装置の不良を判断した場合、当該計測時間に基づいて貯水タンクへの給水動作を行う請求項１記載の逆セル型製氷機を提供する。
この様に、満水であるはずのない場合に、満水を検知した時、水位検知装置を不良と判断することができると共に、不良と判断した場合には予め計測していた計測時間にて給水制御を行い、製氷運転を継続できる。
【０００９】
また、請求項５の発明では、水位検知装置が正常に戻った場合、水位検知装置にて貯水タンクへの給水動作を行う請求項３又は請求項４記載の逆セル型製氷機を提供する。
この様に、満水であるはずのない場合に、満水を検知した時、水位検知装置を不良と判断することができ、時間にて給水制御を行うと共に、正常に戻った場合には、再び水位検知装置にて給水制御を行う。
【００１０】
また、請求項６の発明では、水位検知装置を不良と判断した場合、警報を発する請求項１乃至請求項５記載の逆セル型製氷機を提供する。
この様に、水位検知装置が不良である場合、使用者に不良であることを報知することができる。
また、請求項７の発明では、保護装置は、所定時間経過後、再度検査し、水位検知装置が正常に戻ったと判断した場合、保護装置を解除する請求項２記載の逆セル型製氷機を提供する。
【００１１】
この様に、水位検知装置が不良であると判断した場合、機器の運転を一度停止し、所定時間経過後、再び検査して水位検知装置が正常であれば、水位検知装置にて給水制御を行う。
【００１２】
【発明の実施の形態】
以下に本発明の実施の形態を図面を参照して説明する。図１は逆セル型製氷機の水皿閉塞時の側面図、図２は逆セル型製氷機の水皿傾斜開放時の側面図、図３は本発明を具備する製氷機の回路構成図、図４は正常時の基本行程のタイムチャート、図５は請求項１のフローチャート、図６は請求項２のフローチャート、図７は請求項３のフローチャート、図８は請求項４のフローチャート、図９は請求項５のフローチャート、図１０は請求項６のフローチャート、図１１は請求項７のフローチャートである。
【００１３】
図１及び図２において、実施の形態の製氷機Ｉは所謂逆セル型製氷機と称されるものであり、内部に下向きに開口した多数の製氷室１Ａを有し、その上壁外面に冷却装置Ｒの冷却器を備えた製氷部１と、図１の如き所定の水平閉塞位置において各製氷室１Ａを下方から充分余裕をもって閉塞し、表面には各製氷室１Ａに対応する図示しない噴水孔及び戻り孔を形成した水皿５と、この水皿５に固定され、前記戻り孔に連通する水タンク６と、この水タンク６内の水を送水管７、更に図示しない分配管を経て前記噴水孔から噴出し、各製氷室１Ａへ循環せしめる循環ポンプ９と、水皿５を傾動及び復動せしめる正逆回転可能な高減速比の減速モータを含む駆動装置と、給水電磁弁ＷＶが開いたとき水皿５の表面に散水する散水器１３と、水タンク６の内に設けられたフロートによって作動し、水タンク６の所定の満水位を検出する水位検知装置ＷＬＳＷ等にて構成されている。
【００１４】
また、水皿５の傾動時に排水される水を受ける排水受１０が水タンク６の下方に設けられている。
そして、支持梁１５に固定された取付板に支持させた前記減速モータの出力軸には、相互に逆方向に延出した第１及び第２のアーム１７Ａ及び１７Ｂを有する駆動カム１７を連結し、この駆動カム１７の第１のアーム１７Ａの端部に取り付けたコイルバネ１８の他端を水皿５の側部に連結すると共に、水皿５の後部は回動軸１９に支持させている。
【００１５】
次に図３に基づいて本発明の製氷機Ｉの電気回路を説明する。Ｋはコントロール基板で、このコントロール基板Ｋには、貯氷検知基板２０及び貯氷センサ２１、水位検知装置ＷＬＳＷ、製氷部（ＥＴ）センサ２２、凝縮器（ＣＴ）センサ２３、水温（ＷＴ）センサ２４、オーバーロードリレー２５を介して接続されたコンプレッサモータＣＭ、操作トランス２６、アクチュエータスイッチ２７、マグネットスイッチＭＧを介して接続されたコンプレッサモータＣＭ用スイッチＫＲ１、給水異常時のダイオード２８、高温時のダイオード２９とがそれぞれ接続されている。尚、コンプレッサモータ用スイッチＫＲ１及びマグネットスイッチＭＧと直列に過熱防止器３２が接続されている。
【００１６】
また、前記コンプレッサモータＣＭには、逆相防止リレーＮＰＲが設けられており、このＲ端子には操作スイッチ３０及び逆相防止リレースイッチ３１が接続されている。
また、コンプレッサモータＣＭのＴ端子には、ファンモータＦＭがファンモータ用スイッチＫＲ６を介して接続されており、このファンモータＦＭには運転コンデンサＣ３が接続されている。
【００１７】
更に、前記コントロール基板Ｋと並列に、コンデンサＣ１が接続されたポンプモータＰＭ及びポンプモータ用スイッチＫＲ７と、ノイズフィルタＮＦが接続されたホットガスバルブＨＶ及びホットガスバルブ用スイッチＫＲ２と、ノイズフィルタＮＦが接続された給水弁ＷＶ及び給水弁用スイッチＫＲ５と、コンデンサＣ２及びスイッチＫＲ３が接続されたギヤモータＧＭ及びギヤモータ用スイッチＫＲ４と、リキッドインジェクションバルブサーモスタット３３及びリキッドインジェクションバルブＬＩＶとが夫々接続されている。
【００１８】
尚、操作トランス２６にはノイズフィルタＦが接続されている。
次に、製氷機Ｉの動作行程について、図４のタイムチャートを参照して説明する。通常の製氷サイクルの内、先ず離氷工程から入る事とする。先ず、離氷工程で水皿５の傾動時、給水弁用スイッチＫＲ５がＯＮし、給水弁ＷＶが開いて給水される。この傾動途中で、水位タンク６内の排水に伴い水位検知装置ＷＬＳＷがＯＮし、水皿５開、及び水皿５の復動、製氷工程の最初までＯＮのままである。
【００１９】
尚、ホットガスは、離氷工程開始から水皿５の復動まで流し、コンプレッサモータＣＭは運転を継続する。また、ギヤモータＧＭは水皿５の傾動時と復動時のみ駆動する。
また、給水弁ＷＶは水皿５の開状態の途中で閉として給水を停止する。尚、この離氷用の給水時間は離氷工程開始から９０秒である。
【００２０】
更に、離氷工程の水皿５の復動途中、製氷工程開始から１５秒前に再び給水弁用スイッチＫＲ５をＯＮし、給水弁ＷＶを開とする。また、ファンモータは水皿５の復動時から運転し、製氷工程終了間際まで運転し、ポンプモータＰＭは、製氷工程中ずっと運転している。
以下に本発明を図５乃至図１１のフローチャートを参照して説明する。尚、これらのフローチャートは各請求項に対応しているため、各請求項毎に説明する。
【００２１】
図５は請求項１の発明を示し、ステップＳ１では離氷工程を開始、そして、給水弁ＷＶをＯＮ、給水タイマーＴＭをスタート、ホットガスバルブＨＧをＯＮする（ステップＳ２）。次いでギヤモータＧＭを正転させ（ステップＳ３）、水皿５が開状態とする（ステップＳ４）。水皿５が開となったら（Ｙ）、ギヤモータＧＭをＯＦＦし（ステップＳ５）、給水タイマＴＭが９０秒を経過したか否か判断する（ステップＳ６）。離氷用の給水が９０秒経過していない場合（Ｎ）、氷落下完了か否か判断し（ステップＳ８）、完了していない場合（Ｎ）、９０秒経過するまで離氷用の給水を継続する。
【００２２】
ステップＳ６で離氷用の給水時間が９０秒経過した場合（Ｙ）、給水弁ＷＶをＯＦＦし、給水タイマーＴＭをクリアする（ステップＳ７）。ここで、離氷用の給水時間が９０秒経過したが、氷が落下しない場合は離氷用の給水を継続する。ステップＳ８にて氷落下が完了した場合（Ｙ）、ホットガス弁ＨＧをＯＦＦし（ステップＳ９）、ギヤモータＧＭを逆転させ、ギヤモータタイマーをスタートさせる（ステップＳ１０）。ギヤモータタイマーが所定時間（復動時間の３５秒をカウント）経過したか否か判断し（ステップＳ１１）、経過した場合（Ｙ）、給水弁ＷＶをＯＮし、給水タイマーＴＭをスタートさせる（ステップＳ１２）。また、ステップＳ１１で所定時間経過していない場合（Ｎ）、又はステップＳ１２の次に、水位検知装置ＷＬＳＷが満水か否か判断する（ステップＳ１３）。ここで、水位検知装置ＷＬＳＷが満水を検知した場合（Ｙ）、水位検知装置ＷＬＳＷが異常であると判断してメモリする（ステップＳ１４）。
【００２３】
また、水位検知装置ＷＬＳＷが満水を検知していない場合（Ｎ）、及びステップＳ１４を行った後、水皿５が閉か否か判断し（ステップＳ１５）、閉でない場合（Ｎ）、ステップＳ１０に戻り、閉である場合（Ｙ）、ギヤモータＧＭをＯＦＦ、ＧＭタイマをクリアする（ステップＳ１６）。
即ち、請求項１の発明では、製氷を行うため、冷却器を配設した製氷部１と、この製氷部１に製氷用水を供給する貯水タンク６と、この貯水タンク６内の水位を検知する水位検知装置ＷＬＳＷとを備え、製氷を行う製氷工程及び氷を離脱させる離氷工程を繰り返し行う製氷機Ｉにおいて、離氷工程中に前記水位検知装置ＷＬＳＷが満水を検知した場合、水位検知装置ＷＬＳＷが不良であると判断する製氷機Ｉを提供する。
【００２４】
この様に、満水であるはずのない場合に、満水を検知した時、水位検知装置ＷＬＳＷを不良と判断することができる。図６は請求項２の発明を示し、ステップＳ１では離氷工程を開始、そして、給水弁ＷＶをＯＮ、給水タイマーＴＭをスタート、ホットガスバルブＨＧをＯＮする（ステップＳ２）。次いでギヤモータＧＭを正転させ（ステップＳ３）、水皿５が開状態とする（ステップＳ４）。水皿５が開となったら（Ｙ）、ギヤモータＧＭをＯＦＦし（ステップＳ５）、給水タイマＴＭが９０秒を経過したか否か判断する（ステップＳ６）。離氷用の給水が９０秒経過していない場合（Ｎ）、氷落下完了か否か判断し（ステップＳ８）、完了していない場合（Ｎ）、９０秒経過するまで離氷用の給水を継続する。
【００２５】
ステップＳ６で離氷用の給水時間が９０秒経過した場合（Ｙ）、給水弁ＷＶをＯＦＦし、給水タイマーＴＭをクリアする（ステップＳ７）。ここで、離氷用の給水時間が９０秒経過したが、氷が落下しない場合は離氷用の給水を継続する。
ステップＳ８にて氷落下が完了した場合（Ｙ）、ホットガス弁ＨＧをＯＦＦし（ステップＳ９）、ギヤモータＧＭを逆転させ、ギヤモータタイマーをスタートさせる（ステップＳ１０）。ギヤモータタイマーが所定時間（復動時間の３５秒をカウント）経過したか否か判断し（ステップＳ１１）、経過した場合（Ｙ）、給水弁ＷＶをＯＮし、給水タイマーＴＭをスタートさせる（ステップＳ１２）。また、ステップＳ１１で所定時間経過していない場合（Ｎ）、又はステップＳ１２の次に、水位検知装置ＷＬＳＷが満水か否か判断する（ステップＳ１３）。ここで、水位検知装置ＷＬＳＷが満水を検知した場合（Ｙ）、水位検知装置ＷＬＳＷが異常であると判断してメモリする（ステップＳ１４）。
【００２６】
また、水位検知装置ＷＬＳＷが満水を検知していない場合（Ｎ）、及びステップＳ１４を行った後、水皿５が閉か否か判断し（ステップＳ１５）、閉でない場合（Ｎ）、ステップＳ１０に戻り、閉である場合（Ｙ）、ギヤモータＧＭをＯＦＦ、ＧＭタイマをクリアする（ステップＳ１６）。
また、水位検知装置ＷＬＳＷが異常であるか否か判断し（ステップＳ１７）、異常でなければ（Ｎ）、製氷工程に戻り、異常であれば（Ｙ）、運転を停止し（ステップＳ１８）、警報手段（ブザー、ランプ等）を動作させて使用者に報知する（ステップＳ１９）。
【００２７】
即ち、請求項２の発明では、水位検知装置ＷＬＳＷの不良を判断した場合、当該離氷工程終了後、運転を停止する保護装置を備える請求項１記載の製氷機Ｉを提供する。
この様に、満水であるはずのない場合に、満水を検知した時、水位検知装置ＷＬＳＷを不良と判断することができると共に、離氷工程終了後、機器の運転を停止するため、無駄な製氷工程を行わないものである。
【００２８】
図７は請求項３の発明を示し、先ず、コンプレッサモータＣＭ、ファンモータＦＭ、ポンプモータＰＭをＯＮし（ステップＳ１）、水位検知装置ＷＬＳＷの異常メモリの有無を判断する（ステップＳ２）。異常メモリ有りの場合（Ｙ）、予め設定しておいた初期設定給水時間が経過したか否か判断し（ステップＳ３）、経過していない場合（Ｎ）、経過するまで待つ。また、経過した場合（Ｙ）、給水弁ＷＶをＯＦＦ、給水タイマＴＭをクリアする（ステップＳ４）。
【００２９】
また、ステップＳ２で異常メモリ無しの場合（Ｎ）、水位検知装置ＷＬＳＷが満水か否か判断し（ステップＳ５）、満水を検知するまで待つ。水位検知装置ＷＬＳＷが満水を検知した場合（Ｙ）、ステップＳ４に移行する。
次いで、水温センサー２４が３℃を検知するまで待ち（ステップＳ６）、３℃を検知した場合（Ｙ）、製氷タイマーをスタートさせ（ステップＳ７）、製氷タイマーがタイムアップするまで待つ（ステップＳ８）。製氷タイマーがタイムアップした場合（Ｙ）、ファンモータＦＭ、ポンプモータＰＭをＯＦＦし（ステップＳ９）、給水弁ＷＶをＯＮし、給水タイマーＴＭをスタートさせる（ステップＳ１０）。
【００３０】
次いで、ギヤモータＧＭを正転させ（ステップＳ１１）、水皿５が開となるまで待つ（ステップＳ１２）。水皿５が開となった場合（Ｙ）、ギヤモータＧＭをＯＦＦし（ステップＳ１３）、離氷用の給水タイマーが９０秒経過したか否か判断する（ステップＳ１４）。９０秒経過した場合（Ｙ）、給水弁ＷＶをＯＦＦ、給水タイマーＴＭをクリアし（ステップＳ１５）、氷落下完了か否か判断する（ステップＳ１６）。
【００３１】
また、ステップＳ１４で９０秒経過していない場合（Ｎ）、ステップＳ１６に移行し、ステップＳ１６にて氷落下が完了していない場合（Ｎ）、ステップＳ１４に移行する。
ステップＳ１６にて氷の落下が完了した場合（Ｙ）、ホットガス弁ＨＧをＯＦＦし（ステップＳ１７）、ギヤモータＧＭを逆転、ギヤモータタイマーをスタートさせる（ステップＳ１８）。次いで、ギヤモータタイマーが所定時間経過したか否か判断し（ステップＳ１９）、経過した場合（Ｙ）、給水弁ＷＶをＯＮ、給水タイマーＴＭをスタートさせる（ステップＳ２０）。そして、水位検知装置ＷＬＳＷが満水か否か判断する（ステップＳ２１）。
【００３２】
ここで、ステップＳ１９にて、ギヤモータタイマーが所定時間経過していない場合、ステップＳ２１に移行する。
ステップＳ２１にて製氷用水の供給前に水位検知装置ＷＬＳＷが満水を検知した場合（Ｙ）、水位検知装置ＷＬＳＷを異常と判断してメモリし（ステップＳ２２）、水皿５が閉か否か判断する（ステップＳ２３）。
【００３３】
また、ステップＳ２１にて水位検知装置ＷＬＳＷが満水を検知しない場合（Ｎ）、ステップＳ２３に移行する。ステップＳ２３にて水皿５が閉でない場合（Ｎ）、ステップＳ１８に移行し、水皿５が閉である場合（Ｙ）、ギヤモータＧＭをＯＦＦし、ギヤモータタイマーをクリアする（ステップＳ２４）。
【００３４】
即ち、請求項３の発明では、水位検知装置ＷＬＳＷの不良と判断した場合、当該離氷工程に続く製氷工程は、予め設定した給水時間に基づいて貯水タンク６に給水動作を行う請求項１記載の製氷機Ｉを提供する。
この様に、満水であるはずのない場合に、満水を検知した時、水位検知装置ＷＬＳＷを不良と判断することができると共に、不良と判断した場合には予め設定した時間にて給水制御を行い、製氷運転を継続できる。
【００３５】
図８は請求項４の発明を示し、先ず、コンプレッサモータＣＭ、ファンモータＦＭ、ポンプモータＰＭをＯＮし（ステップＳ１）、水位検知装置ＷＬＳＷの異常メモリの有無を判断する（ステップＳ２）。異常メモリ有りの場合（Ｙ）、予め給水タイマーで計測しておいた時間、即ち、正常時の給水時間が経過したか否か判断し（ステップＳ３）、経過していない場合（Ｎ）、経過するまで待つ。また、経過した場合（Ｙ）、給水弁ＷＶをＯＦＦ、給水タイマＴＭをクリアする（ステップＳ４）。
【００３６】
また、ステップＳ２で異常メモリ無しの場合（Ｎ）、水位検知装置ＷＬＳＷが満水か否か判断し（ステップＳ５）、満水を検知するまで待つ。水位検知装置ＷＬＳＷが満水を検知した場合（Ｙ）、給水タイマーにて計測時間をメモリし（ステップＳ６）、ステップＳ４に移行する。
次いで、水温センサー２４が３℃を検知するまで待ち（ステップＳ７）、３℃を検知した場合（Ｙ）、製氷タイマーをスタートさせ（ステップＳ８）、製氷タイマーがタイムアップするまで待つ（ステップＳ９）。製氷タイマーがタイムアップした場合（Ｙ）、ファンモータＦＭ、ポンプモータＰＭをＯＦＦし（ステップＳ１０）、給水弁ＷＶをＯＮし、給水タイマーＴＭをスタートさせる（ステップＳ１１）。
【００３７】
次いで、ギヤモータＧＭを正転させ（ステップＳ１２）、水皿５が開となるまで待つ（ステップＳ１３）。水皿５が開となった場合（Ｙ）、ギヤモータＧＭをＯＦＦし（ステップＳ１４）、離氷用の給水タイマーが９０秒経過したか否か判断する（ステップＳ１５）。９０秒経過した場合（Ｙ）、給水弁ＷＶをＯＦＦ、給水タイマーＴＭをクリアし（ステップＳ１６）、氷落下完了か否か判断する（ステップＳ１７）。
【００３８】
また、ステップＳ１５で９０秒経過していない場合（Ｎ）、ステップＳ１７に移行し、ステップＳ１７にて氷落下が完了していない場合（Ｎ）、ステップＳ１５に移行する。
ステップＳ１７にて氷の落下が完了した場合（Ｙ）、ホットガス弁ＨＧをＯＦＦし（ステップＳ１８）、ギヤモータＧＭを逆転、ギヤモータタイマーをスタートさせる（ステップＳ１９）。次いで、ギヤモータタイマーが所定時間経過したか否か判断し（ステップＳ２０）、経過した場合（Ｙ）、給水弁ＷＶをＯＮ、給水タイマーＴＭをスタートさせる（ステップＳ２１）。そして、水位検知装置ＷＬＳＷが満水か否か判断する（ステップＳ２２）。
【００３９】
ここで、ステップＳ２０にて、ギヤモータタイマーが所定時間経過していない場合、ステップＳ２２に移行する。
ステップＳ２２にて製氷用水の供給前に水位検知装置ＷＬＳＷが満水を検知した場合（Ｙ）、水位検知装置ＷＬＳＷを異常と判断してメモリし（ステップＳ２３）、水皿５が閉か否か判断する（ステップＳ２４）。
【００４０】
また、ステップＳ２２にて水位検知装置ＷＬＳＷが満水を検知しない場合（Ｎ）、ステップＳ２４に移行する。ステップＳ２４にて水皿５が閉でない場合（Ｎ）、ステップＳ１９に移行し、水皿５が閉である場合（Ｙ）、ギヤモータＧＭをＯＦＦし、ギヤモータタイマーをクリアする（ステップＳ２５）。
【００４１】
即ち、請求項４の発明では、水位検知装置ＷＬＳＷが不良でない状態で、貯水タンク６への給水の時間を計測し、水位検知装置ＷＬＳＷの不良を判断した場合、当該計測時間に基づいて貯水タンク６への給水動作を行う請求項１記載の製氷機Ｉを提供する。この様に、満水であるはずのない場合に、満水を検知した時、水位検知装置ＷＬＳＷを不良と判断することができると共に、不良と判断した場合には予め計測していた計測時間にて給水制御を行い、製氷運転を継続できる。
【００４２】
図９は請求項５の発明を示し、先ず、コンプレッサモータＣＭ、ファンモータＦＭ、ポンプモータＰＭをＯＮし（ステップＳ１）、水位検知装置ＷＬＳＷの異常メモリの有無を判断する（ステップＳ２）。異常メモリ有りの場合（Ｙ）、予め設定しておいた給水時間、又は予め給水タイマーで計測しておいた時間、即ち、正常時の給水時間が経過したか否か判断し（ステップＳ３）、経過していない場合（Ｎ）、経過するまで待つ。また、経過した場合（Ｙ）、給水弁ＷＶをＯＦＦ、給水タイマＴＭをクリアする（ステップＳ４）。
【００４３】
また、ステップＳ２で異常メモリ無しの場合（Ｎ）、水位検知装置ＷＬＳＷが満水か否か判断し（ステップＳ５）、満水を検知するまで待つ。水位検知装置ＷＬＳＷが満水を検知した場合（Ｙ）、給水タイマーにて計測時間をメモリし（ステップＳ６）、ステップＳ４に移行する。
次いで、水温センサー２４が３℃を検知するまで待ち（ステップＳ７）、３℃を検知した場合（Ｙ）、製氷タイマーをスタートさせ（ステップＳ８）、製氷タイマーがタイムアップするまで待つ（ステップＳ９）。製氷タイマーがタイムアップした場合（Ｙ）、ファンモータＦＭ、ポンプモータＰＭをＯＦＦし（ステップＳ１０）、給水弁ＷＶをＯＮし、給水タイマーＴＭをスタートさせる（ステップＳ１１）。
【００４４】
次いで、ギヤモータＧＭを正転させ（ステップＳ１２）、水皿５が開となるまで待つ（ステップＳ１３）。水皿５が開となった場合（Ｙ）、ギヤモータＧＭをＯＦＦし（ステップＳ１４）、離氷用の給水タイマーが９０秒経過したか否か判断する（ステップＳ１５）。９０秒経過した場合（Ｙ）、給水弁ＷＶをＯＦＦ、給水タイマーＴＭをクリアし（ステップＳ１６）、氷落下完了か否か判断する（ステップＳ１７）。
【００４５】
また、ステップＳ１５で９０秒経過していない場合（Ｎ）、ステップＳ１７に移行し、ステップＳ１７にて氷落下が完了していない場合（Ｎ）、ステップＳ１５に移行する。
ステップＳ１７にて氷の落下が完了した場合（Ｙ）、ホットガス弁ＨＧをＯＦＦし（ステップＳ１８）、ギヤモータＧＭを逆転、ギヤモータタイマーをスタートさせる（ステップＳ１９）。次いで、ギヤモータタイマーが所定時間経過したか否か判断し（ステップＳ２０）、経過した場合（Ｙ）、給水弁ＷＶをＯＮ、給水タイマーＴＭをスタートさせる（ステップＳ２１）。そして、水位検知装置ＷＬＳＷが満水か否か判断する（ステップＳ２２）。
【００４６】
ここで、ステップＳ２０にて、ギヤモータタイマーが所定時間経過していない場合、ステップＳ２２に移行する。
ステップＳ２２にて製氷用水の供給前に水位検知装置ＷＬＳＷが満水を検知した場合（Ｙ）、水位検知装置ＷＬＳＷを異常と判断してメモリし（ステップＳ２３）、水皿５が閉か否か判断する（ステップＳ２４）。
【００４７】
また、ステップＳ２２にて水位検知装置ＷＬＳＷが満水を検知しない場合（Ｎ）、ステップＳ２４に移行する。
ステップＳ２４にて水皿５が閉でない場合（Ｎ）、ステップＳ１９に移行し、水皿５が閉である場合（Ｙ）、ギヤモータＧＭをＯＦＦし、ギヤモータタイマーをクリアする（ステップＳ２５）。
【００４８】
即ち、請求項５の発明では、水位検知装置ＷＬＳＷが正常に戻った場合、水位検知装置ＷＬＳＷにて貯水タンク６への給水動作を行う請求項３又は請求項４記載の製氷機Ｉを提供する。
この様に、満水であるはずのない場合に、満水を検知した時、水位検知装置ＷＬＳＷを不良と判断することができ、時間にて給水制御を行うと共に、正常に戻った場合には、再び水位検知装置ＷＬＳＷにて給水制御を行う。
【００４９】
図１０は請求項６の発明を示し、先ず、コンプレッサモータＣＭ、ファンモータＦＭ、ポンプモータＰＭをＯＮし（ステップＳ１）、水位検知装置ＷＬＳＷの異常メモリの有無を判断する（ステップＳ２）。異常メモリ有りの場合（Ｙ）、警報手段（ブザー、ランプ等）にて警報を発し（ステップＳ３）、予め設定しておいた給水時間、又は予め給水タイマーで計測しておいた時間、即ち、正常時の給水時間が経過したか否か判断し（ステップＳ４）、経過していない場合（Ｎ）、経過するまで待つ。また、経過した場合（Ｙ）、給水弁ＷＶをＯＦＦ、給水タイマＴＭをクリアする（ステップＳ５）。
【００５０】
また、ステップＳ２で異常メモリ無しの場合（Ｎ）、水位検知装置ＷＬＳＷが満水か否か判断し（ステップＳ６）、満水を検知するまで待つ。水位検知装置ＷＬＳＷが満水を検知した場合（Ｙ）、給水タイマーにて計測時間をメモリし（ステップＳ７）、ステップＳ５に移行する。
次いで、水温センサー２４が３℃を検知するまで待ち（ステップＳ８）、３℃を検知した場合（Ｙ）、製氷タイマーをスタートさせ（ステップＳ９）、製氷タイマーがタイムアップするまで待つ（ステップＳ１０）。製氷タイマーがタイムアップした場合（Ｙ）、ファンモータＦＭ、ポンプモータＰＭをＯＦＦし（ステップＳ１１）、給水弁ＷＶをＯＮし、給水タイマーＴＭをスタートさせる（ステップＳ１２）。
【００５１】
次いで、ギヤモータＧＭを正転させ（ステップＳ１３）、水皿５が開となるまで待つ（ステップＳ１４）。水皿５が開となった場合（Ｙ）、ギヤモータＧＭをＯＦＦし（ステップＳ１５）、離氷用の給水タイマーが９０秒経過したか否か判断する（ステップＳ１６）。９０秒経過した場合（Ｙ）、給水弁ＷＶをＯＦＦ、給水タイマーＴＭをクリアし（ステップＳ１７）、氷落下完了か否か判断する（ステップＳ１８）。
【００５２】
また、ステップＳ１６で９０秒経過していない場合（Ｎ）、ステップＳ１８に移行し、ステップＳ１８にて氷落下が完了していない場合（Ｎ）、ステップＳ１６に移行する。
ステップＳ１８にて氷の落下が完了した場合（Ｙ）、ホットガス弁ＨＧをＯＦＦし（ステップＳ１９）、ギヤモータＧＭを逆転、ギヤモータタイマーをスタートさせる（ステップＳ２０）。次いで、ギヤモータタイマーが所定時間経過したか否か判断し（ステップＳ２１）、経過した場合（Ｙ）、給水弁ＷＶをＯＮ、給水タイマーＴＭをスタートさせる（ステップＳ２２）。そして、水位検知装置ＷＬＳＷが満水か否か判断する（ステップＳ２３）。
【００５３】
ここで、ステップＳ２１にて、ギヤモータタイマーが所定時間経過していない場合、ステップＳ２３に移行する。
ステップＳ２３にて製氷用水の供給前に水位検知装置ＷＬＳＷが満水を検知した場合（Ｙ）、水位検知装置ＷＬＳＷを異常と判断してメモリし（ステップＳ２４）、水皿５が閉か否か判断する（ステップＳ２５）。
【００５４】
また、ステップＳ２３にて水位検知装置ＷＬＳＷが満水を検知しない場合（Ｎ）、ステップＳ２５に移行する。
ステップＳ２５にて水皿５が閉でない場合（Ｎ）、ステップＳ２０に移行し、水皿５が閉である場合（Ｙ）、ギヤモータＧＭをＯＦＦし、ギヤモータタイマーをクリアする（ステップＳ２６）。
【００５５】
即ち、請求項６の発明では、水位検知装置ＷＬＳＷを不良と判断した場合、警報を発する請求項１乃至請求項５記載の製氷機Ｉを提供する。
この様に、水位検知装置ＷＬＳＷが不良である場合、使用者に不良であることを報知することができる。
図１１は請求項７の発明を示し、ステップＳ１では離氷工程を開始、そして、給水弁ＷＶをＯＮ、給水タイマーＴＭをスタート、ホットガスバルブＨＧをＯＮする（ステップＳ２）。次いでギヤモータＧＭを正転させ（ステップＳ３）、水皿５が開状態とする（ステップＳ４）。水皿５が開となったら（Ｙ）、ギヤモータＧＭをＯＦＦし（ステップＳ５）、給水タイマＴＭが９０秒を経過したか否か判断する（ステップＳ６）。離氷用の給水が９０秒経過していない場合（Ｎ）、氷落下完了か否か判断し（ステップＳ８）、完了していない場合（Ｎ）、９０秒経過するまで離氷用の給水を継続する。
【００５６】
ステップＳ６で離氷用の給水時間が９０秒経過した場合（Ｙ）、給水弁ＷＶをＯＦＦし、給水タイマーＴＭをクリアする（ステップＳ７）。ここで、離氷用の給水時間が９０秒経過したが、氷が落下しない場合は離氷用の給水を継続する。
ステップＳ８にて氷落下が完了した場合（Ｙ）、ホットガス弁ＨＧをＯＦＦし（ステップＳ９）、ギヤモータＧＭを逆転させ、ギヤモータタイマーをスタートさせる（ステップＳ１０）。ギヤモータタイマーが所定時間（復動時間の３５秒をカウント）経過したか否か判断し（ステップＳ１１）、経過した場合（Ｙ）、給水弁ＷＶをＯＮし、給水タイマーＴＭをスタートさせる（ステップＳ１２）。また、ステップＳ１１で所定時間経過していない場合（Ｎ）、又はステップＳ１２の次に、水位検知装置ＷＬＳＷが満水か否か判断する（ステップＳ１３）。ここで、水位検知装置ＷＬＳＷが満水を検知した場合（Ｙ）、水位検知装置ＷＬＳＷが異常であると判断してメモリする（ステップＳ１４）。
【００５７】
また、水位検知装置ＷＬＳＷが満水を検知していない場合（Ｎ）、及びステップＳ１４を行った後、水皿５が閉か否か判断し（ステップＳ１５）、閉でない場合（Ｎ）、ステップＳ１０に戻り、閉である場合（Ｙ）、ギヤモータＧＭをＯＦＦ、ＧＭタイマをクリアする（ステップＳ１６）。
また、水位検知装置ＷＬＳＷが異常であるか否か判断し（ステップＳ１７）、異常でなければ（Ｎ）、製氷工程に戻り、異常であれば（Ｙ）、運転を停止し（ステップＳ１８）、警報手段（ブザー、ランプ等）を動作させて使用者に報知すると共に、保護タイマーをスタートさせる（ステップＳ１９）。次いで、保護タイマーが３０分経過したか否か判断し（ステップＳ２０）、経過していない場合（Ｎ）経過するまで待ち、経過した場合（Ｙ）、異常判断メモリをクリアし（ステップＳ２１）、ステップＳ２に戻る。
【００５８】
即ち、請求項７の発明では、保護装置は、所定時間経過後、再度検査し、水位検知装置ＷＬＳＷが正常に戻ったと判断した場合、保護装置を解除する請求項２記載の製氷機Ｉを提供する。
この様に、水位検知装置ＷＬＳＷが不良であると判断した場合、機器の運転を一度停止し、所定時間経過後、再び検査して水位検知装置ＷＬＳＷが正常であれば、水位検知装置ＷＬＳＷにて給水制御を行う。
【００５９】
【発明の効果】
請求項１の発明によると、製氷を行うため、冷却器を配設した製氷部と、この製氷部に製氷用水を供給する貯水タンクと、この貯水タンク内の水位を検知する水位検知装置とを備え、製氷を行う製氷工程及び氷を離脱させる離氷工程を繰り返し行う製氷機において、
離氷工程中に前記水位検知装置が満水を検知した場合、水位検知装置が不良であると判断する逆セル型製氷機を提供する。
【００６０】
この様に、満水であるはずのない場合に、満水を検知した時、水位検知装置を不良と判断することができる。従って、品質の良好な氷を製氷すると共に、無駄な運転を極力防止することができる。
また、請求項２の発明によると、水位検知装置の不良を判断した場合、当該離氷工程終了後、運転を停止する保護装置を備える請求項１記載の逆セル型製氷機を提供する。
【００６１】
この様に、満水であるはずのない場合に、満水を検知した時、水位検知装置を不良と判断することができると共に、離氷工程終了後、機器の運転を停止するため、無駄な製氷工程を行わないものである。従って、品質の良好な氷を製氷すると共に、無駄な運転を極力防止することができる。
また、請求項３の発明によると、水位検知装置の不良と判断した場合、当該離氷工程に続く製氷工程は、予め設定した給水時間に基づいて貯水タンクに給水動作を行う請求項１記載の逆セル型製氷機を提供する。
【００６２】
この様に、満水であるはずのない場合に、満水を検知した時、水位検知装置を不良と判断することができると共に、不良と判断した場合には予め設定した時間にて給水制御を行い、製氷運転を継続できる。従って、品質の良好な氷を製氷すると共に、無駄な運転を極力防止することができる。
また、請求項４の発明によると、水位検知装置が不良でない状態で、貯水タンクへの給水の時間を計測し、水位検知装置の不良を判断した場合、当該計測時間に基づいて貯水タンクへの給水動作を行う請求項１記載の逆セル型製氷機を提供する。
【００６３】
この様に、満水であるはずのない場合に、満水を検知した時、水位検知装置を不良と判断することができると共に、不良と判断した場合には予め計測していた計測時間にて給水制御を行い、製氷運転を継続できる。従って、品質の良好な氷を製氷すると共に、無駄な運転を極力防止することができる。
また、請求項５の発明によると、水位検知装置が正常に戻った場合、水位検知装置にて貯水タンクへの給水動作を行う請求項３又は請求項４記載の逆セル型製氷機を提供する。
【００６４】
この様に、満水であるはずのない場合に、満水を検知した時、水位検知装置を不良と判断することができ、時間にて給水制御を行うと共に、正常に戻った場合には、再び水位検知装置にて給水制御を行う。従って、品質の良好な氷を製氷すると共に、無駄な運転を極力防止することができる。
また、請求項６の発明によると、水位検知装置を不良と判断した場合、警報を発する請求項１乃至請求項５記載の逆セル型製氷機を提供する。
【００６５】
この様に、水位検知装置が不良である場合、使用者に不良であることを報知することができる。従って、品質の良好な氷を製氷すると共に、無駄な運転を極力防止することができる。
また、請求項７の発明によると、保護装置は、所定時間経過後、再度検査し、水位検知装置が正常に戻ったと判断した場合、保護装置を解除する請求項２記載の逆セル型製氷機を提供する。
【００６６】
この様に、水位検知装置が不良であると判断した場合、機器の運転を一度停止し、所定時間経過後、再び検査して水位検知装置が正常であれば、水位検知装置にて給水制御を行う。従って、品質の良好な氷を製氷すると共に、無駄な運転を極力防止することができる。
【図面の簡単な説明】
【図１】    逆セル型製氷機の水皿閉塞時の側面図である。
【図２】    逆セル型製氷機の水皿傾斜開放時の側面図である。
【図３】    本発明を具備する製氷機の回路構成図である。
【図４】    正常時の基本行程のタイムチャートである。
【図５】    請求項１のフローチャートである。
【図６】    請求項２のフローチャートである。
【図７】    請求項３のフローチャートである。
【図８】    請求項４のフローチャートである。
【図９】    請求項５のフローチャートである。
【図１０】    請求項６のフローチャートである。
【図１１】    請求項７のフローチャートである。
【符号の説明】
１  製氷部
６  貯水タンク
Ｉ  製氷機
ＷＬＳＷ  水位検知装置
【図１】
0003842839.tif 000002
【図２】
0003842839.tif 000003
【図３】
0003842839.tif 000004
【図４】
0003842839.tif 000005
【図５】
0003842839.tif 000006
【図６】
0003842839.tif 000007
【図７】
0003842839.tif 000008
【図８】
0003842839.tif 000009
【図９】
0003842839.tif 000010
【図１０】
0003842839.tif 000011
【図１１】
0003842839.tif 000012